(57)【要約】【課題】シャワーヘッドをヘッド保持部に保持させた状態でのシャワーホースの収まりを良くした洗面器置台、及び、それを備えた浴室構造を提供することを課題とする。【解決手段】洗面器置台１０は、壁付水栓２２からシャワーホース２６が下方に延び出している洗い場１４に、壁付水栓２２よりも下方位置の壁面１６に設けられている。そして、シャワーホース２６の先端に取付けられたシャワーヘッド２８をヘッド保持部３０に保持させたときに、壁付水栓２２から延び出したシャワーホース２６が入り込む切欠部３４Ａ、３４Ｂが洗面器置台１０の両サイド側に形成されている。これにより、ダブついたシャワーホース２６が洗面器置台の切欠部に入り易い。【選択図】図１
2010094428.tif 000002
【特許請求の範囲】
【請求項１】
シャワーホースの下流端に接続されたシャワーヘッドがヘッド保持位置に保持されたときに、壁付水栓から垂れている前記シャワーホースが入り込む切欠部が両サイド側の少なくとも一方に形成され、前記壁付水栓が設けられた壁面に固定され得る、洗面器置台。
【請求項２】
前記切欠部の使用者側の切欠壁は、前記壁面に接する壁面側縁に対して２５°以内の角度をなす、請求項１に記載の洗面器置台。
【請求項３】
前記切欠部の壁面側の切欠壁及び使用者側の切欠壁の少なくとも一方に凸部が形成されている、請求項１又は２に記載の洗面器置台。
【請求項４】
前記切欠部の壁面側の切欠壁及び使用者側の切欠壁の少なくとも一方に凹部が形成されている、請求項１又は２に記載の洗面器置台。
【請求項５】
前記切欠部に向けて下降する勾配が上面に付けられている、請求項１〜４のうち何れか１項に記載の洗面器置台。
【請求項６】
前記切欠部の切欠壁が、前記壁付水栓から垂れた前記シャワーホースをサイド側に案内するように湾曲凹状にされている、請求項１に記載の洗面器置台。
【請求項７】
請求項１〜６のうちの何れか１項に記載の洗面器置台が設けられた、浴室構造。
【発明の詳細な説明】
【技術分野】
【０００１】
本発明は、洗い場の壁面に設けられた洗面器置台、及び、それを備えた浴室構造に関する。
【背景技術】
【０００２】
浴室内の洗い場などには、鏡などが壁面に設けられて湯や水を吐出する壁付水栓が設けられている。この壁付水栓の下方には、洗面器などを置く洗面器置台が壁面側に取付けられていることが多い（例えば特許文献１〜３参照）。なお、洗い場側と浴槽側とにそれぞれ水栓が設けられたいわゆる２水栓仕様の場合、腰を捻って使用することを避けるために洗い場側の水栓の下方に洗面器置台を配置することが多い。
【０００３】
また、壁付水栓には、通常、下方に延び出すシャワーホースが設けられている。そして、壁付水栓の近くには、シャワーホースの先端に取付けられたシャワーヘッドを保持するヘッド保持部が壁面側に設けられている。
【特許文献１】特開平８−２８０５５８号公報
【特許文献２】特開２００６−１８７５４２号公報
【特許文献３】特開２００８−１３６６７６号公報
【発明の開示】
【発明が解決しようとする課題】
【０００４】
ところで、シャワーホースの長さは、シャワーを使用する際に短過ぎないような長さとされている。このため、シャワーヘッドをヘッド保持部に保持させた状態ではシャワーホースがダブつく。この結果、洗面器置台の上にシャワーホースが位置して洗面器を置くスペースが減ってしまうことや、洗面器置台の周囲にシャワーホースが位置して洗面器を載置し難いことがあった。
更に、使用者がシャワーヘッドを手に持って移動させると、洗面器にシャワーホースが引っかかって洗面器を洗面器置台から落下させることも考えられる。
【０００５】
このような壁付水栓を使用する際には、通常、使用者は椅子に腰掛けて使用する。そして、洗面器置台と椅子との組合せにより、使用する際に膝、腰を屈める動作が著しく軽減される。従って、特に高齢者向けの住宅では壁付水栓の下方に洗面器置台を設置することが多い。このため、使い勝手が良いことが重要である。
【０００６】
なお、水栓と洗面器置台とを一体に形成してシャワーホースを洗面器置台の下側から出してシャワーホースの収まりを良くする構成にすることが特許文献３に開示されているが、特殊な仕様となるため高価になり、しかも洗面器置台の取替えを容易に行えないという難点がある。
【０００７】
本発明は、上記事実を考慮して、シャワーヘッドをヘッド保持部に保持させた状態でのシャワーホースの収まりを良くした洗面器置台、及び、それを備えた浴室構造を提供することを課題とする。
【課題を解決するための手段】
【０００８】
請求項１に記載の発明は、シャワーホースの下流端に接続されたシャワーヘッドがヘッド保持位置に保持されたときに、壁付水栓から垂れている前記シャワーホースが入り込む切欠部が両サイド側の少なくとも一方に形成され、前記壁付水栓が設けられた壁面に固定され得る洗面器置台である。
【０００９】
ヘッド保持部は、通常、壁面側に取付けられている。従って、シャワーヘッドをヘッド保持位置に保持させると、シャワーホースは壁面に沿った位置に配置され易い。よって、請求項１に記載の発明では、ダブついたシャワーホースが洗面器置台の切欠部に入り易く、これにより、シャワーヘッドをヘッド保持部に保持させた状態でのシャワーホースの収まりを良くした洗面器置台とすることができる。
【００１０】
請求項２に記載の発明は、前記切欠部の使用者側の切欠壁は、前記壁面に接する壁面側縁に対して２５°以内の角度をなす。
これにより、シャワーヘッドをヘッド保持部に保持させた状態でシャワーホースが切欠部に更に収まり易いとともに、シャワーヘッドをヘッド保持部から取り出すときに切欠部からシャワーホースを容易に引き出すことができる。
なお、切欠部の使用者側の切欠壁の少なくとも上側の縁部が、壁面に対して１０°以内の角度をなすことが更に好ましい。
【００１１】
請求項３に記載の発明は、前記切欠部の壁面側の切欠壁及び使用者側の切欠壁の少なくとも一方に凸部が形成されている。
上記の凸部が形成されていることにより、シャワーヘッドをヘッド保持部に保持させた状態では凸部によってシャワーホースが切欠部から意図せずに抜けることを防止することができる。凸部の寸法は、シャワーヘッドをヘッド保持部に保持させたときにシャワーホースが凸部を経由して切欠部の奥側に入る上で大きな妨げとならない寸法とする。
【００１２】
請求項４に記載の発明は、前記切欠部の壁面側の切欠壁及び使用者側の切欠壁の少なくとも一方に凹部が形成されている。
上記の凹部が形成されていることにより、シャワーヘッドをヘッド保持部に保持させた状態ではシャワーホースが凹部に入り、切欠部から安易に抜けない構成にすることができる。
【００１３】
請求項５に記載の発明は、前記切欠部に向けて下降する勾配が上面に付けられている。
これにより、洗面器置台上に溜まったいわゆる死に水が切欠部に向けて流れる。
【００１４】
請求項６に記載の発明は、前記切欠部の切欠壁が、前記壁付水栓から垂れた前記シャワーホースをサイド側に案内するように湾曲凹状にされている。
請求項６に記載の発明では、シャワーホースが洗面器置台の下方側に位置しない構成にすることが可能になる。
【００１５】
請求項７に記載の発明は、請求項１〜６のうちの何れか１項に記載の洗面器置台が設けられた浴室構造である。
この浴室構造は、例えばユニットバスで形成される。
【発明の効果】
【００１６】
本発明によれば、シャワーヘッドをヘッド保持部に保持させた状態でのシャワーホースの収まりを良くした洗面器置台、及び、それを備えた浴室構造とすることができる。
【発明を実施するための最良の形態】
【００１７】
以下、実施形態を挙げ、本発明の実施の形態について説明する。なお、第２実施形態以下では、既に説明した構成要素と同様のものには同じ符号を付して、その説明を省略する。
【００１８】
［第１実施形態］
まず、第１実施形態について説明する。図１〜図３に示すように、本実施形態に係る洗面器置台１０は、浴室１２の洗い場１４の壁面１６に固定されたものである。なお、図１では、浴槽１８の近くに洗い場１４が設けられている例で図示している。なお、浴室１２は、例えばユニットバスで形成されている。
洗い場１４には、鏡２０と、鏡２０の下方に壁付水栓２２とが壁面１６に設けられている。
【００１９】
壁付水栓２２には、湯や水を吐出する蛇口２４が設けられている。そして、シャワーホース２６が壁付水栓２２から下方に延び出しており、シャワーホース２６の下流端（先端）にはシャワーヘッド２８が取付けられている。壁面１６には、シャワーヘッド２８を保持するヘッド保持部３０が洗面器置台１０の上方でやや右方に設けられている。
【００２０】
そして、壁面１６には、壁付水栓２２の下方位置に上記の洗面器置台１０が設けられている。洗面器置台１０の床からの高さは、使用者Ｐが椅子Ｃに腰掛けたときに、洗面器置台１０上に置いた洗面器Ｖの湯水を洗顔や洗体などに使い易いような高さとされている。
洗面器置台１０の寸法は、やや大きめの寸法の洗面器Ｖ（例えば直径３０ｃｍ）を置き易い寸法にされている。
【００２１】
また、洗面器置台１０には、ヘッド保持部３０にシャワーヘッド２８を保持させたときに、壁付水栓２２から垂れたシャワーホース２６が入り込む切欠部３４Ａ、３４Ｂが両サイド側に形成されている。
【００２２】
切欠部３４Ａの壁面１６からの位置は、壁付水栓２２から延び出して自然に垂れたシャワーホース２６が、ヘッド保持部３０にシャワーヘッド２８を保持させたときに入り易い位置とされている。本実施形態では、切欠部３４Ａの壁面側の切欠壁３５Ｇが、壁面１６に接する壁面側縁１５から５ｃｍ〜１０ｃｍ程度の距離ｄで離れた位置とされており、切欠部３４Ｂの壁面側の切欠壁３５Ｈも同様である。
【００２３】
切欠部３５Ａの使用者側の切欠壁３５Ｉ、及び、切欠部３５Ｂの使用者側の切欠壁３５Ｊは、何れも、壁面側縁１５に対して２５°以内（すなわち壁面１６に対して２５°以内）の角度θ（図３参照）をなしている。
【００２４】
また、洗面器置台１０の上面側には、載置面１１と、載置面１１の外周に形成された縁面部１３と、が形成されている。縁面部１３は、載置面１１よりも僅かに高くされている。そして載置面１１には、切欠部３４Ａ、３４Ｂに向けて下降する勾配が形成されている。
【００２５】
（作用、効果）
以下、本実施形態の作用、効果について説明する。
【００２６】
ヘッド保持部３０は壁面１６に設けられている。従って、シャワーヘッド２８がヘッド保持部３０に保持されている状態では、シャワーホース２６は壁面に沿った位置に配置され易い。よって、ダブついたシャワーホース２６が洗面器置台１０の切欠部３４Ａに入り易い。従って、特殊な水栓構造にすることなく、シャワーヘッド２８をヘッド保持部３０に保持させた状態でシャワーホース２６の収まりを良くすることができる。
【００２７】
また、切欠部３４Ａの使用者側の切欠壁３５Ｉは、壁面１６に対して２５°以内の角度θをなしている。これにより、シャワーヘッド２８をヘッド保持部３０に保持させた状態でシャワーホース２６が切欠部３４Ａに収まり易く、しかも、シャワーヘッド２８をヘッド保持部３０から取り出すときに切欠部３４Ａからシャワーホース２６を容易に引き出すことができる。
【００２８】
更に、洗面器置台１０の載置面１１には、切欠部３４Ａ、３４Ｂに向けて下降する勾配が形成されている。これにより、載置面１１上に溜まったいわゆる死に水が切欠部３４Ａ、３４Ｂに向けて流れる（図３の矢印Ｆ参照）。
【００２９】
また、洗面器置台１０の両サイドに切欠部３４Ａ、３４Ｂが形成されている。従って、ヘッド保持部３０を洗面器置台１０の右方側に配置する場合にはシャワーホース２６は切欠部３４Ａに入り、左方側に配置する場合にはシャワーホース２６は切欠部３４Ｂに入る。よって、ヘッド保持部３０を洗面器置台１０の右方側、左方側の何れに配置する場合であっても、本実施形態の洗面器置台１０を有効に用いることができる。
【００３０】
［第２実施形態］
次に、第２実施形態について説明する。図４に示すように、本実施形態に係る洗面器置台４０では、第１実施形態に比べ、切欠部３４Ａ、３４Ｂに代えて切欠部４４Ａ、４４Ｂが両サイド側に形成されている。
【００３１】
切欠部４４Ａのサイド側の開口４６Ａの近くでは、切欠部４４Ａの使用者側の切欠壁４５Ｉの側に凸部４８Ｐが形成され、切欠部４４Ａの壁面側の切欠壁４５Ｇの側にも凸部４８Ｑが形成されている。凸部４８Ｐと凸部４８Ｑとは互いに対向する位置に配置されており、凸部４８Ｐと凸部４８Ｑとの間では切欠幅が狭くなっている。凸部４８Ｐ、４８Ｑの寸法は、シャワーヘッド２８をヘッド保持部３０に保持させたときにシャワーホース２６が凸部４８Ｐと凸部４８Ｑの間を経由して切欠部４４Ａの奥側に入る上で大きな妨げとならない寸法とされている。切欠部４４Ｂも同様の構成にされている。
【００３２】
本実施形態により、シャワーヘッド２８をヘッド保持部３０に保持させた状態では、凸部４８Ｐ、４８Ｑによってシャワーホース２６が切欠部４４Ａから意図せずに抜けることを防止することができる。そして、立位時にシャワーを使用する際には、シャワーヘッド２８をやや強く引っ張ることによりシャワーホース２６を凸部４８Ｐと凸部４８Ｑとの間から抜き出して切欠部４４Ａの外方に出すことができる。
【００３３】
［第３実施形態］
次に、第３実施形態について説明する。図５に示すように、本実施形態に係る洗面器置台５０では、第１実施形態に比べ、切欠部３４Ａ、３４Ｂに代えて切欠部５４Ａ、５４Ｂが両サイドに形成されている。
【００３４】
切欠部５４Ａの壁面側の切欠壁５５Ｇの側には凸部５８Ｑが形成されている。本実施形態では、切欠壁５５Ｇに対向する切欠壁（使用者側の切欠壁）５５Ｉの側には凸部は形成されていない。切欠部５４Ｂも同様の構成にされている。
【００３５】
本実施形態によっても、シャワーヘッド２８をヘッド保持部３０に保持させた状態では凸部５８Ｑによってシャワーホース２６が切欠部５４Ａから安易に抜けない構成にすることができる。
【００３６】
［第４実施形態］
次に、第４実施形態について説明する。図６に示すように、本実施形態に係る洗面器置台６０では、第１実施形態に比べ、切欠部３４Ａ、３４Ｂに代えて切欠部６４Ａ、６４Ｂが両サイドに形成されている。
【００３７】
切欠部６４Ａのサイド側の開口６６Ａの近くには、切欠部６４Ａの使用者側の切欠壁６５Ｉの側に凹部６８Ｐが形成され、切欠部６４Ａの壁面側の切欠壁６５Ｇの側にも凹部６８Ｑが形成されている。凹部６８Ｐと凹部６８Ｑとは互いに対向する位置に配置されている。凹部６８Ｐの寸法は、シャワーヘッド２８をヘッド保持部３０に保持させたときにシャワーホース２６が凹部６８Ｐに引っかかり易い寸法にされている。凹部６８Ｑも同様の構成にされている。
【００３８】
本実施形態により、シャワーヘッド２８をヘッド保持部３０に保持させた状態では凹部６８Ｐ、６８Ｑによってシャワーホース２６が切欠部６４Ａから安易に抜けない構成にすることができる。
【００３９】
［第５実施形態］
次に、第５実施形態について説明する。図７に示すように、本実施形態に係る洗面器置台７０では、第１実施形態に比べ、切欠部３４Ａ、３４Ｂに代えて切欠部７４Ａ、７４Ｂが両サイドに形成されている。
【００４０】
切欠部７４Ａの切欠壁７６は、壁付水栓２２（図１、図２参照）から延び出したシャワーホース２６（図１、図２参照）をサイド側に案内するように、くり抜かれたような湾曲凹状にされている。切欠部７４Ｂも同様の構成にされている。
【００４１】
本実施形態では、シャワーホース２６が洗面器置台７０の下方側に位置しないようにすることができる。また、切欠部７４Ａでシャワーホース２６に強力な変形力が加えられることがない。
【００４２】
［第６実施形態］
次に、第６実施形態について説明する。図８に示すように、本実施形態に係る洗面器置台８０では、第１実施形態に比べ、切欠部３４Ａ、３４Ｂに代えて切欠部８４Ａ、８４Ｂが両サイドに形成されている。
【００４３】
切欠部８４Ａの上端側の縁部は、全縁にわたって角部が丸くされた湾曲凸部８８とされている。これにより、切欠部８４Ａでシャワーホースに損傷が加えられることが確実に回避される。切欠部８４Ｂも同様の構成にされている。
【００４４】
以上、実施形態を挙げて本発明の実施の形態を説明したが、これらの実施形態は一例であり、要旨を逸脱しない範囲内で種々変更して実施できる。
また、第２実施形態以下では、洗面器置台の両サイド側にそれぞれ切欠部が形成されていることによる効果の記載を省略しているが、このことに関しては第１実施形態と同様の効果を奏する。
また、本発明の権利範囲がこれらの実施形態に限定されないことは言うまでもない。
【図面の簡単な説明】
【００４５】
【図１】第１実施形態に係る洗面器置台が浴室の洗い場に設けられていることを示す斜視図である。
【図２】第１実施形態で、洗面器置台を使用者が使用していることを示す側面図である。
【図３】図３（Ａ）及び（Ｂ）は、それぞれ、第１実施形態の洗面器置台の平面図及び斜視図である。
【図４】第２実施形態の洗面器置台の平面図である。
【図５】第３実施形態の洗面器置台の平面図である。
【図６】第４実施形態の洗面器置台の平面図である。
【図７】第５実施形態の洗面器置台の斜視図である。
【図８】第６実施形態の洗面器置台の斜視図である。
【符号の説明】
【００４６】
１０  洗面器置台
１４  洗い場
１５  壁面側縁
１６  壁面
２２  壁付水栓
２６  シャワーホース
２８  シャワーヘッド
３４Ａ、Ｂ  切欠部
３５Ｇ、Ｈ、Ｉ、Ｊ  切欠壁
θ  角度
４０  洗面器置台
４４Ａ、Ｂ  切欠部
４５Ｇ、Ｉ  切欠壁
４８Ｐ、Ｑ  凸部
５０  洗面器置台
５４Ａ、Ｂ  切欠部
５５Ｇ、Ｉ  切欠壁
５８Ｑ  凸部
６０  洗面器置台
６４Ａ、Ｂ  切欠部
６５Ｇ、Ｉ  切欠壁
６８Ｐ、Ｑ  凹部
７０  洗面器置台
７４Ａ、Ｂ  切欠部
４６  切欠壁
８０  洗面器置台
８４Ａ、Ｂ  切欠部
【図１】
2010094428.tif 000003
【図２】
2010094428.tif 000004
【図３】
2010094428.tif 000005
【図４】
2010094428.tif 000006
【図５】
2010094428.tif 000007
【図６】
2010094428.tif 000008
【図７】
2010094428.tif 000009
【図８】
2010094428.tif 000010